(57)【要約】  コンタクトレンズが収納された包装箱を積み重ねて陳列及び収納するための陳列収納棚（１）であって、前記陳列収納棚（１）は、前記陳列収納棚（１）の上下左右の外壁を構成する外側フレーム（２）と、前記外側フレーム（２）の内側に存在する空間を上下左右に２以上の部分空間に区切る内側フレーム（３）と、前記２以上の部分空間のそれぞれに配置され、前面が開放された構造を有する内箱（５）と、前記内箱（５）の内部に挿入可能であり、包装箱を乗せて運ぶためのプレート（７）とを有し、ａ）前記内側フレーム（３）が後面から前面に向かって上方に傾斜するように区画するものであるか、又は、ｂ）前記内箱（５）が後面から前面に向かって上方に傾斜した底面を有するものである、陳列収納棚（１）。
2020012216.tif 000002
【特許請求の範囲】
【請求項１】
［１］コンタクトレンズが収納された包装箱を２つ以上積み重ねて陳列及び収納するための陳列収納棚であって、前記陳列収納棚は、前記陳列収納棚の上下左右の外壁を構成する外側フレームと、前記外側フレームの内側に配置され、該外側フレームの内側に存在する空間を上下左右に２つ以上の部分空間に区切る内側フレームと、前記２以上の部分空間のそれぞれに配置され、前面が開放された構造を有する少なくとも１つ以上の内箱と、前記内箱の底面の面積よりも小さい面積を有し、前記内箱の内部に挿入可能であり、前記包装箱を乗せて運ぶためのプレートと、を有し、前面が開放された構造を有し、前記積み重ねられた２つ以上の包装箱が該陳列収納棚の前方から視認可能であり、ａ）前記内側フレームが、前記２つ以上の部分空間の少なくとも１つを、前記陳列収納棚の後面から前面に向かって上方に傾斜するように区画するものであるか、又は、ｂ）前記内箱の少なくとも１つが、前記陳列収納棚の後面から前面に向かって上方に傾斜した底面を有するものである、陳列収納棚。
【発明の詳細な説明】
【技術分野】
【０００１】本発明は、コンタクトレンズを格納する包装箱を陳列及び収納するための陳列収納棚に関する。
【背景技術】
【０００２】例えば、日本国特開２００７−１９５７２９には、被収納物を収納するための収納用什器が開示されている。この什器は、奥行方向の奥から手前に向かって上方に向けて傾斜した引き出しを有する。この引き出しの傾斜は、２度以上５度以内である。この傾斜は、地震が生じても、適切な状態で被収納物を収納できるようにするために設定されたものである。この収納用什器は、より具体的には、地震による振動で、被収納物である本が収納された引き出しがまるごと落下することを防止し、本が破損すること等を防ぐことを主たる目的としている。
【先行技術文献】
【特許文献】
【０００３】
【特許文献１】特開２００７−１９５７２９
【発明の概要】
【発明が解決しようとする課題】
【０００４】特開２００７−１９５７２９に記載の什器は、該什器の引き出しが傾斜により常に後方に向かって重力で引っ張られるため、被収納物が収納された引き出しがまるごと落下することを防ぐという目的を達成するには有用である。しかしながら、引き出しの傾斜が小さくないため、被収納物の重量が大きい場合には、引き出しを開けることが困難になる。また、特開２００７−１９５７２９に記載の什器は、被収納物の重量が大きい場合には、引き出しを開けたままの状態を維持することが困難となり、被収納物の出し入れ等の作業を行うのが困難になる。さらに、特開２００７−１９５７２９に記載の什器は、該什器の引き出しが傾いていることにより、被収納物が引き出しの中で倒れたり滑り落ちたりすることがある。その結果、引き出しの使い勝手及び美観が損なわれる。【０００５】本発明は、上述の通り、コンタクトレンズを格納する包装箱を収納及び陳列するための陳列収納棚に関する。例えば、ソフトコンタクトレンズは、ブリスターケースとよばれる樹脂製のケースに保存液とともに格納される。複数のブリスターケースが、紙製の包装箱にまとめて格納される。紙製の包装箱は、樹脂製のフィルムで包まれた状態で出荷される。コンタクトレンズは、この状態で顧客に販売される。【０００６】そのような紙製の包装箱は、形状安定性が低く、力が加わると容易に変形する。また、包装箱は、コンタクトレンズと共に保存液を格納しており、ブリスターケース内でその保存液が動くため、安定性が悪い。さらに、コンタクトレンズを格納する包装箱は、表面のフィルムが滑りやすい。そのため、そのような包装箱は、積み重ねるとわずかな衝撃で崩れて落下し得る。包装箱は、ブリスターケースを収納する外箱に過ぎないため、落下により多少破損しても（例えば、包装箱の角部の凹み又は歪みが生じても）、収納されているコンタクトレンズの品質が損なわれるわけではない。しかしながら、破損した包装箱は、見栄えが悪く、顧客への売り物にはならない。小売店としては、収納されているコンタクトレンズと共にその破損した包装箱を廃棄せざるを得ない。そのため、コンタクトレンズの小売店においては、廃棄処分による経済的損失を低減するために、包装箱の破損の原因となる落下事故を防ぐことが重要である。【０００７】一方、コンタクトレンズを格納する包装箱は、美しい意匠が施されているため、敢えて来店者が視認できる態様で小売店内に陳列されることも多い。陳列された包装箱の美しい意匠は、小売店のインテリアの一部として機能する。さらに、陳列された多数の包装箱は、コンタクトレンズ小売店への来店者に対して、当該小売店におけるコンタクトレンズの在庫が豊富であるという印象を与えることができる。そのため、コンタクトレンズの小売店においては、来店者に対して敢えて包装箱を見せるように、前面が開放された什器に包装箱を積み重ねた状態で陳列したいという要請がある。【０００８】しかし、前面が開放された什器は、包装箱を支持できる部材を前面に有していないため、積み上げられた包装箱は、わずかな衝撃や作業ミスにより、容易に前面側に崩れ落ちる可能性がある。上述の通り、落下した包装箱は、破損により売り物にならなくなるおそれがある。また、積み上げた包装箱が崩れ落ちると、有効期限や度数順で重ねたコンタクトレンズの順番がバラバラになってしまい、商品管理がやりにくくなる。【０００９】そのような前面が開放された什器は、小売店のインテリアとして機能を発揮させる目的及び在庫の豊富さを顕示する目的から、１６０センチメートル（場合によっては２００センチメートル）を超える背の高い寸法を有することも多い。そのような背の高い什器は、上記目的を達成するためには有用である。しかしながら、そのような背の高い什器は、店員（特に背の低い店員）が商品を出し入れするのを困難にし、商品の落下事故を生じさせる原因となり得る。【００１０】以上のように、コンタクトレンズを格納する包装箱は、設置された際の安定性が悪く、落下による破損を避けなければならないにもかかわらず、前面が開放され、かつ、背が高い陳列棚に、積み重ねて陳列されることが要求される。従って、従来技術においては、このような要求を満たすという課題が存在していた。さらに、特開２００７−１９５７２９のような、収納棚を傾けすぎることに起因したデメリットの発生を回避しなければならないという課題も存在していた。本発明は、これらの課題を同時に解決するものである。
【課題を解決するための手段】
【００１１】本発明の一実施形態に係る陳列収納棚は下記の態様を有する。【００１２】［１］コンタクトレンズが収納された包装箱を２つ以上積み重ねて陳列及び収納するための陳列収納棚であって、前記陳列収納棚は、【００１３】前記陳列収納棚の上下左右の外壁を構成する外側フレームと、【００１４】前記外側フレームの内側に配置され、該外側フレームの内側に存在する空間を上下左右に２つ以上の部分空間に区切る内側フレームと、【００１５】前記２以上の部分空間のそれぞれに配置され、前面が開放された構造を有する少なくとも１つ以上の内箱と、【００１６】前記内箱の底面の面積よりも小さい面積を有し、前記内箱の内部に挿入可能であり、前記包装箱を乗せて運ぶためのプレートと、を有し、【００１７】前面が開放された構造を有し、前記積み重ねられた２つ以上の包装箱が該陳列収納棚の前方から視認可能であり、【００１８】ａ）前記内側フレームが、前記２つ以上の部分空間の少なくとも１つを、前記陳列収納棚の後面から前面に向かって上方に傾斜するように区画するものであるか、又は、ｂ）前記内箱の少なくとも１つが、前記陳列収納棚の後面から前面に向かって上方に傾斜した底面を有するものである、陳列収納棚。【００１９】上記［１］の態様によれば、本発明の陳列収納棚は、上述した本発明の解決課題を解決することができる。さらに、予想外なことに、本発明者らは、上記［１］の態様により、包装箱と包装箱との間に、包装箱を乗せて運ぶためのプレートを挿入しやすくなることを見いだした。プレートを挿入しやすくなる機構は、後で図５に基づいて詳しく説明する。【００２０】［２］前記２つ以上の部分空間の少なくとも１つの傾斜した底面、又は、前記内箱の傾斜した底面が、水平方向に対して０．１〜１．９°傾斜している、前記［１］に記載の陳列収納棚。【００２１】上記［２］の態様によれば、本発明の陳列収納棚は、包装箱が落下するのをさらに効果的に防止することができる。また、プレートを挿入し易くできる。【００２２】［３］前記陳列収納棚が１６０ｃｍ以上の高さを有し、陳列収納棚の少なくとも上半分に、前記内側フレームが配置されている、前記［１］に記載の陳列収納棚。【００２３】上記［３］の態様によれば、包装箱の落下事故を防止することに加えて、インテリアとしての機能と在庫の豊富さを顕示する機能の両方を効果的に発揮することができる。【００２４】［４］前記内側フレーム及び内箱が、透明又は半透明の材料から形成された、前記［１］に記載の陳列収納棚。【００２５】上記［４］の態様によれば、包装箱が陳列収納棚の内部でどのように配置されているかを陳列収納棚の外部から目視で確認することができる。従って、小売店の店員は、包装箱の位置を確認しながら、包装箱の運搬を行うことができる。結果として、包装箱の落下事故の発生をより効果的に防止することができる。【００２６】［５］前記内箱が、５．０×ｎ（ここで、ｎは１〜４の整数である）＋０．５〜１．５ｃｍの幅方向の内寸を有する、前記［１］に記載の陳列収納棚。【００２７】上記［５］の態様によれば、包装箱が内箱の内部で落下するのを効果的に防ぐことができる。【００２８】多くのメーカーのソフトコンタクトレンズ��包装箱は、概ね同一の寸法を有している。通常、ソフトコンタクトレンズの包装箱は、該包装箱の製品名表示（表面）が上面になるように置いた場合、横（長さ）方向に約１５．０ｃｍの長さ、奥行き方向に約５．０ｃｍの長さ、高さ方向に約３．０ｃｍの長さを有する。本発明の発明者らは、その寸法の共通性に着目し、上記［５］の態様を見いだした。陳列収納棚１の幅方向と包装箱の奥行き方向とが揃うように包装箱を置いた場合、内箱の左右の壁面と並んだ複数の包装箱との間には、左右合計で約０．５ｃｍ〜１．５ｃｍの隙間が生じると考えられる。この大きさの隙間は、積み重ねられた包装箱が内箱の内部で崩れないように支持し、かつ、包装箱を出し入れするのに不自由を生じさせないために必要充分である。【００２９】［６］前記プレートの幅方向の長さが、前記内箱の幅方向の内寸よりも０．５ｃｍ〜１．０ｃｍ短い、前記［１］に記載の陳列収納棚。【００３０】上記［６］の態様によれば、積み重ねられた複数の包装箱をプレートに乗せた状態で容易に勝つ安全に運ぶことができる。
【発明の効果】
【００３１】本発明の陳列収納棚は、コンタクトレンズが収納された包装箱を２つ以上積み重ねて陳列及び収納することができ、顧客が視認し易いように陳列することができるにもかかわらず、積み重ねられた包装箱が崩れて落下するのを防止することができる。
【図面の簡単な説明】
【００３２】
【図１】本発明の一実施形態に係る陳列収納棚１を模式的に示す分解斜視図である。
【００３３】
【図２】本発明の一実施形態に係る内箱５を模式的に示す側面図である。
【００３４】
【図３】水平方向に対して並行に設置した場合のソフトコンタクトレンズのブリスターケースを模式的に示す側面図である。
【００３５】
【図４】水平方向に対して１°傾けて設置した場合のソフトコンタクトレンズのブリスターケースを模式的に示す側面図である。
【００３６】
【図５】水平方向に対して１°傾いた状態で積み重ねられた２個の包装箱を模式的に示す側面図である。
【発明を実施するための形態】
【００３７】図１に示されているように、本発明の一実施形態に係る陳列収納棚１は、外側フレーム２と、内側フレーム３と、内箱５と、プレート７とを有する。内側フレーム３は、外側フレーム２の内側に設置されている。内箱５は、内側フレーム３の内側に設置されている。プレート７は、内箱５の内部に設置されている。
【００３８】外側フレーム２は、陳列収納棚１の上下左右の外枠を構成する部材である。図１の実施形態において、外側フレーム２は、前面と後面が開いている。そのため、外側フレーム２の後ろ側に照明装置を設置して、陳列された包装箱に照明を当てることができる。
【００３９】外側フレーム２は、図１に示されているように、上下左右の外壁を構成する部材を有している。一方、外側フレーム２は、壁面収納として使用されるように設計されており、後面側の壁を構成する部材を有していない。つまり、陳列収納棚１が配置される店舗の壁が、陳列収納棚１の後面側の壁を構成する。ただし、外側フレーム２は、後面側の壁を構成する部材を有していてもよい。
【００４０】外側フレーム２は、特に限定されるものではないが、例えば、１００ｃｍ〜２５０ｃｍの高さ、６０ｃｍ〜３００ｃｍの幅、１６ｃｍ〜４８ｃｍの奥行きを有していてもよい。
【００４１】内側フレーム３は、図１に示されているように、外側フレーム２の中に入れられるように、外側フレーム２よりも小さい寸法を有する。内側フレーム３は、前面側から外側フレーム２に嵌合され、ネジ及び接着剤等の図示されない固定手段により外側フレーム２に対して固定されてもよい。内側フレーム３は、外側フレーム２の内側に存在する空間を、上下左右に２つ以上の部分空間に区切っている。内側フレーム３は、後面側にも外壁を構成する部材を有している。
【００４２】内側フレーム３は、透明又は半透明の材料から形成されることが好ましい。内側フレーム３は、透明又は半透明のプラスチックからなるものであってもよい。内側フレーム３は、例えば、アクリル系樹脂製であってもよい。
【００４３】内側フレーム３は、該内側フレーム３の最大高さ（最も高い位置）が地上から２００センチメートル以上に位置するように設計されることが好ましい。上記最大高さは、より好ましくは２０５センチメートル以上、さらに好ましくは２１０センチメートル以上、最も好ましくは２１５センチメートル以上である。最大高さが上記範囲であると、インテリアとしての機能と、在庫の豊富さを顕示する機能の両方をより効果的に奏することができる。内側フレーム３の幅方向の長さ及び奥行きは、外側フレーム２に適合するように適宜決定することができる。
【００４４】内側フレーム３は、外側フレーム２の高さの全体に亘って延在していなくてもよいが、外側フレーム２の高さの少なくとも上半分の領域に亘って延在していることが好ましい。外側フレーム２において内側フレーム３が延在していない領域には、前面が閉じられて収納物が外部から視認できない通常の収納棚が配置されていてもよい。
【００４５】図１に示される陳列収納棚１においては、外側フレーム２と内側フレーム３は、別個の部材であるが、これらは一体化された１つの部材であってもよい。
【００４６】内箱５は、図１に示されているように、前面側から内側フレーム３の中に入れられるように、内側フレーム３によって形成される部分空間よりも小さい寸法を有する。内箱５は、内側フレーム３から箱ごと取り出せるように、内側フレーム３に対して固定されていないことが好ましい。
【００４７】内箱５は、透明又は半透明の材料から形成されることが好ましい。内箱５は、透明又は半透明のプラスチックからなるものであってもよい。内箱５は、例えば、アクリル系樹脂製であってもよい。
【００４８】内箱は、幅方向の外寸が１０．５ｃｍ〜１１．５ｃｍ又は１５．０ｃｍ〜１６．５ｃｍであり、奥行き方向の外寸が１５ｃｍ〜２０ｃｍ又は３０．０ｃｍ〜４０．０ｃｍであり、高さ方向の外寸が２０．０ｃｍ〜５０．０ｃｍであってもよい。
【００４９】図２には、本発明の一実施形態に係る内箱５が示されている。図２において、左右方向が、左右方向が陳列収納棚１の前後方向であり、上下方向が陳列収納棚１の高さ方向である。図２において、右側が陳列収納棚１の前面側であり、左側が陳列収納棚１の後面側である。図２において、内箱５は、前面側に向かって水平方向に対してθ°上方に傾いた底面を有している。
【００５０】プレート７は、図１に示されているように、前面側から内箱に入れられるように、内箱の底面よりも小さい面積を有する。プレート７は、透明又は半透明の材料から形成されることが好ましい。プレート７は、透明又は半透明のプラスチックからなるものであってもよい。プレート７は、例えば、アクリル系樹脂製であってもよい。
【００５１】プレート７は、特に限定されるものではないが、幅方向において９．０ｃｍ〜１１．０ｃｍの長さと、奥行き方向において３０．０ｃｍ〜４０．０ｃｍの長さを有していてもよい。
【００５２】プレート７は、複数の包装箱をまとめて陳列収納棚１の中に格納するため、及び、陳列収納棚１から取り出すために使用される部材である。例えば、前面側からプレート７を包装箱と包装箱との間又は包装箱と内箱との間に差し込み、次に、その際に該プレート７の上に積載した包装箱と共にプレート７を持ち上げて移動させることによって、複数の包装箱をまとめて運搬することができる。
【００５３】陳列収納棚１の前面が開放された構造を有しているため、積み重ねられた２つ以上の包装箱は、陳列収納棚１の前方から視認可能である。
【００５４】内側フレーム３は、部分空間の少なくとも１つを、陳列収納棚の後面から前面に向かって上方に傾斜するように区画するものであってもよく、又は、内箱５の少なくとも１つが、陳列収納棚１の後面から前面に向かって上方に傾斜した底面を有していてもよい。これにより本発明の解決課題を解決することができる。
【００５５】本発明のより好ましい実施形態における陳列収納棚１は、２つ以上の部分空間の少なくとも１つの傾斜した底面、又は、内箱の傾斜した底面（つまり、包装箱の設置角度）が、水平方向に対して０．１〜１．９°傾斜していることが好ましい。
【００５６】この傾斜角度が０．１°以上であることにより、（１）地震等の振動により包装箱が前方に滑り落ちにくくなる作用効果、及び、（２）特定の包装箱を取り出す際に、プレート７を包装箱と包装箱との間に差し込みやすくなり、包装箱が落下する事案をより防止できるという作用効果が発揮される。
【００５７】この傾斜角度が１．９°以下であることにより、（１）後方に滑り出すことによって包装箱が意図せず落下する事案が発生することを防ぐ作用効果、及び、（２）積み重ねた包装箱同士の接合部が段々に見えにくく、小売店舗内の美観をより美しくする作用効果が発揮される。
【００５８】上記傾斜角度は、より好ましくは０．２°以上であり、さらに好ましくは０．３°以上であり、よりさらに好ましくは０．４°以上であり、最も好ましくは０．５°以上である。上記傾斜角度は、より好ましくは１．８°以下であり、さらに好ましくは１．７°以下であり、よりさらに好ましくは１．６°以下であり、最も好ましくは１．５°以下である。
【００５９】図３は、水平に設置されたブリスターケースを模式的に示す側面図である。図３に示されているように、通常、ブリスターケースの内部に存在する保存液は、満杯より少ない量で存在する。図３において、この保存液の液面は、ブリスターケースの上面及び水平方向に対して水平である。従って、保存液に対して生じる重力（つまり、ブリスターケースに対して加わる下方向への力）は、前方の領域と後方の領域とではおおよそ同等である。
【００６０】対照的に、図４は、水平方向に対して１°の角度で傾いたブリスターケースを模式的に示す側面図である。ブリスターケースの内部に存在する保存液は、この傾きにより、後方により多く存在することになるため、後方においてより強く下方向への重力が加わることになる。そのため、このようなブリスターケースを収納した包装箱は、固形物の場合には滑り落ち防止にそれほど効果的ではない傾きであっても、ブリスターケース内の液体が後方に移動することによる重心の後方移動による効果が加わるため、前方への滑り落ちを防止する作用効果が得られる。
【００６１】図３及び図４では、ブリスターケースが長さ方向に沿って置かれている場合を説明したが、重心の後方移動によって滑り落ち防止効果が得られるメカニズムは、ブリスターケースの設置方向がどの方向であっても同様であり、前方への滑り落ち防止効果が得られる。
【００６２】図５は、水平方向に対して１°傾いた状態で積み重ねられた２個の包装箱（Ｐ１、Ｐ２）を模式的に示す側面図である。図５において、右側が陳列収納棚１の前面側であり、左側が陳列収納棚１の後面側である。縦方向の直線は垂直方向を示している。横方向の直線は水平方向を示している。
【００６３】包装箱Ｐ２は、前面側に向かって水平方向に対して１°上方に傾いた底面の上に置かれている。包装箱Ｐ１は、包装箱Ｐ２の上面の上に置かれている。図５に示されているように、包装箱Ｐ１は、底面の傾きにより、包装箱Ｐ１の前端部が、左右方向において、包装箱Ｐ２の前端部とわずかにずれるように、包装箱Ｐ２の上に積み重なっている。
【００６４】包装箱Ｐ１及び包装箱Ｐ２の高さが２０ｍｍであると仮定すると、前方に向かって１°上方に傾いた状態で積み重ねた包装箱同士の継ぎ目における前後方向の段差は、理論的には、２０ｍｍ×ＳＩＮ（１°）＝約０．３５ｍｍとなる。従って、来店者が見ても段差があることはほぼ視認できないため、美観が損なわれることはない。その一方で、手で触るとわずかに感じられる程度の段差が前後方向に存在しているため、プレート７を包装箱と包装箱との間に差し込み易い。
【符号の説明】
【００６５】１      陳列収納棚【００６６】２      外側フレーム【００６７】３      内側フレーム【００６８】５      内箱【００６９】７      プレート【００７０】Ｂ      ブリスターケース【００７１】Ｐ１、Ｐ２  包装箱
【図１】
2020012216.tif 000003
【図２】
2020012216.tif 000004
【図３】
2020012216.tif 000005
【図４】
2020012216.tif 000006
【図５】
2020012216.tif 000007
【国際調査報告】
2020012216.tif 000008
2020012216.tif 000009
2020012216.tif 000010
2020012216.tif 000011